(57)【要約】【課題】制動時に駆動伝達系に蓄積されたエネルギーによるショックを車両の搭乗者に再発進時に感じさせることを回避する。【解決手段】ＥＣＵは、ブレーキ信号を検出した場合に（Ｓ１００にてＹＥＳ）、車速がしきい値Ｖ（０）未満であると（Ｓ１２０にてＹＥＳ）、プロペラシャフトの変位量Ｘを検出するステップ（Ｓ１３０）と、変位速度αを算出するステップ（Ｓ１４０）と、一旦伸びたプロペラシャフトが縮む場合の｜α｜がしきい値Ｂ（０）よりも大きく（Ｓ１５０にてＹＥＳ）かつＡ（０）＜Ｘ＜がＡ（１）であると（Ｓ１６０にてＹＥＳ）、自動変速機をニュートラル状態に形成するステップ（Ｓ１７０）とを含む、プログラムを実行する。【選択図】図４
2009097614.tif 000002
【特許請求の範囲】
【請求項１】
車両に搭載されたエンジンと駆動輪との間の動力を、係合することにより伝達および解放することにより非伝達のいずれかの状態に切り換える係合要素を有する自動変速機の制御装置であって、前記自動変速機と駆動輪とは伸縮部を備えたプロペラシャフトで連結され、
前記車両の速度を検出するための手段と、
前記伸縮部の変位量を直接的および間接的の少なくともいずれかで検出するための検出手段と、
前記伸縮部が予め定められた伸縮状態であるか否かを判断するための判断手段と、
前記速度が予め定められた速度より低くて、かつ、前記伸縮部が予め定められた伸縮状態であると判断されると、前記自動変速機がニュートラル状態になるように、前記係合要素を解放するように制御するための制御手段とを含む、自動変速機の制御装置。
【請求項２】
前記判断手段は、前記伸縮部の変位および変位速度に基づいて、前記伸縮部が予め定められた伸縮状態であるか否かを判断するための手段を含む、請求項１に記載の自動変速機の制御装置。
【請求項３】
前記判断手段は、前記車両の再発進時にショックを発生させる伸縮状態であるか否かを判断するための手段を含む、請求項２に記載の自動変速機の制御装置。
【請求項４】
前記判断手段は、前記伸縮部が縮む状態であって、前記変位速度が予め定められた速度よりも大きく、前記伸縮部の変位が予め定められた大きさの範囲であると、前記車両の再発進時にショックを発生させる伸縮状態であると判断するための手段を含む、請求項３に記載の自動変速機の制御装置。
【請求項５】
前記検出手段は、前記伸縮部近傍に設けられた、前記伸縮部の変位量を検出するセンサである、請求項１〜４のいずれかに記載の自動変速機の制御装置。
【請求項６】
前記検出手段は、前記車両の後輪のサスペンションの変位量に基づいて、前記伸縮部の変位量を推定することにより前記伸縮部の変位量を検出するための手段を含む、請求項１〜４のいずれかに記載の自動変速機の制御装置。
【発明の詳細な説明】
【技術分野】
【０００１】
本発明は、自動変速機の制御装置に関し、特に、伸縮部を備えたプロペラシャフトを有する後輪駆動車（ＦＲ：Front engine Rear drive）において、急制動に伴い駆動伝達系に蓄積される捩りエネルギーに起因するショックによる不快感を搭乗者に与えない制御装置に関する。
【背景技術】
【０００２】
自動変速機に電磁弁を搭載し、外部から電気信号を入力して変速操作に関する変数、たとえば、変速段、油圧レベル、変速操作の時定数やタイミング等をＥＣＵ（Electronic Control Unit）により調整する自動変速機が実用化されている。このようなＥＣＵにより自動変速機の運転状態を種々の状態へと確実かつ速やかに移行可能である。また、ＥＣＵには、ＣＰＵ（Central Processing Unit）が組み込まれているので、プログラムにより制御が可能であるから、プログラムや種々の定数の変更を通じて、自動変速機の運転状態をきめ細かく設定すれば、車両の走行状態やエンジンの負荷状態に対応させて最適な性能を自動変速機から引き出すことが可能である。ここで、車両の走行状態とは、車速やステアリング操作、加速減速の頻度やそのレベル、路面状態等であり、エンジンの負荷状態とは、エンジンの回転数、スロットル開度、アクセルペダル踏み込み量、エンジンや自動変速機の入出力軸のトルク等である。
【０００３】
さらに、自動変速機に内蔵された係合要素（クラッチやブレーキ）に供給される油圧レベルは、車両の走行状態やエンジンの負荷状態に適合させてきめ細かく調整される。このように調整することにより、変速ショックの抑制と係合要素の損耗の軽減を両立させて、速やかで円滑な変速を達成することができる。
【０００４】
このような自動変速機は、エンジンとトルクコンバータ等を介して繋がるとともに複数の動力伝達経路を有してなる変速機構を有して構成され、たとえば、アクセル開度および車速に基づいて自動的に動力伝達経路の切り換えを行なう、すなわち自動的に変速比（走行速度段）の切り換えを行なうように構成される。一般的に、自動変速機を有した車両には運転者により操作されるシフトレバーが設けられ、シフトレバー操作に基づいて変速ポジション（たとえば、後進走行ポジション、ニュートラルポジション、前進走行ポジション）が設定され、このように設定された変速ポジション内（通常は、前進走行ポジション内）において自動変速制御が行なわれる。
【０００５】
このような自動変速機を有した車両において、前進走行ポジションが設定されて車両が停止している状態では、アイドリング回転するエンジンからの駆動力がトルクコンバータを介して変速機に伝達され、これが車輪に伝達されるため、いわゆるクリープ現象が発生する。クリープ現象は、登坂路での停車からの発進をスムーズに行なわせることができるなど、所定条件下では非常に有用なのであるが、車両を停止保持したいときには不要な現象であり、車両のブレーキを作動させてクリープ力を抑えるようになっている。すなわち、エンジンからのクリープ力をブレーキにより抑えるようになっており、その分エンジンの燃費が低下するという問題がある。
【０００６】
このようなことから、前進走行ポジションにおいて、ブレーキペダルが踏み込まれてブレーキが作動されるとともにアクセルがほぼ全閉となって車両が停止している状態では、前進走行ポジションのまま前進クラッチを解放させて、変速機をニュートラルに近いニュートラル状態として、燃費の向上を図ることが提案されている。
【０００７】
このようなニュートラル制御といわれる技術が、以下に示す特許文献に開示されている。
【特許文献１】特開２０００−３１０３１８号公報
【発明の開示】
【発明が解決しようとする課題】
【０００８】
ところで、駆動伝達系の機械要素としてプロペラシャフトを有するＦＲ車においては、制動時に駆動輪（後輪タイヤ）からの駆動力が付加され、駆動伝達系に捩りエネルギーが蓄えられ易い。これについて、以下に詳しく説明する。
【０００９】
制動時には、車両の走行源であるエンジンが後輪タイヤにより駆動されることになる。このときにエンジンを駆動するエネルギーは、制動エネルギー分を差し引いた残留エネルギーであって、この残留エネルギーは、駆動伝達系にたわみを発生させる。駆動伝達系とエンジンとは機械的に接続されているので、エンジンのマウント系の弾性部材（ブッシュ、ゴム等）のたわみとなって蓄積される。エンジンのマウント系がたわむと、パワートレーン（エンジンとトランスミッション）は車両の前方方向に移動する傾向になる。このとき、トランスミッションと駆動輪とを接続している、駆動伝達系の主要な部品であるプロペラシャフトは、伸びることになる。プロペラシャフトは、このような状態に対応するために、伸縮部を備える。このようなときには、トランスミッションとプロペラシャフトとの結合が浅くなる。ただし、マウントの支持方法やパワートレーンやドライブトレーンの構成によっては結合が浅くなるのではなく、逆に突っ込まれた状態になる場合もあり得る（すなわち、残留エネルギーのない場合に比較して異なる状態になる）。
【００１０】
このような状態（すなわち、たとえば、上記した状態のうちの結合が浅くなる状態）で、ニュートラル制御を実行すると、この残留エネルギーが解放されて（エネルギーが解放されるとはエネルギーが発散されることである）、車両の前方方向に移動していたパワートレーン（プロペラシャフト）が元の位置（正規の位置）に戻される。このときに、トランスミッションとプロペラシャフトとの結合が浅かった状態から滑らかに摺動して結合状態が正規の状態に戻るとは限らない。
【００１１】
特に、減速時に車両姿勢がノーズダイブ状態（車両の急制動で車両が前のめりして車両先端が下がる状態）になり、プロペラシャフトの伸縮部が伸びる。その後、停止時における車両姿勢が元の状態に戻る（ノーズダイブから復帰する）と、プロペラシャフトの伸縮部の伸びも元に戻ろうとするのであるが、プロペラシャフトには捩りトルクが作用しているので、伸縮部が元の状態に戻ろうとする（縮もうとする）ときに異音やショックが発生する。
【００１２】
これは、トランスミッションのスプラインとプロペラシャフトのスプラインとが互いに噛合った状態（楔を打ち込んだような状態であって、瞬間的にあるいは部分的に固着している状態とも言え、スティック状態とも言う）になっていると、摺動して徐々にエネルギーが解放されるのではなく、一気に解放されてしまう。これにより、異音あるいはショックが発生するのである。
【００１３】
ニュートラル制御のように、通常は車両が完全に停止してブレーキペダルが踏まれていると、すなわち車両が完全に停止している状態で、入力クラッチが解放される。このニュートラル制御の前の制動時において残留エネルギーが蓄積されていると、ニュートラル制御は運転者の操作に関係なく開始されるので、運転者の操作に関係なくかつ車両が完全に停止している状態でショックが発生する。特に、運転者が何ら操作をしていない状態において車両にショックが発生することは好ましくない。
【００１４】
また、ＳＵＶ（Sport Utility Vehicle）においては、通常のＦＲ車（たとえば、いわゆる箱型自動車と言われる車両等）とは異なるリヤアクスル構造であることに起因して、弾性部材の他にサスペンションの挙動も寄与して、プロペラシャフトの伸縮量が大きくなる傾向にあり、急制動時においてプロペラシャフトがスティック状態に陥り易く、より大きな問題になる可能性がある。
【００１５】
しかしながら、このような問題については、上述した特許文献において言及されていない。なお、駆動伝達系に干渉部材としてフレキシブルカップリングを備えるようにしたり、結合部の摺動部分を超低摩擦係数の表面処理を施すようにしたりして、このような問題を解決しようとするとコストがアップする。さらに、車両停止時におけるニュートラル制御を禁止すると、このようなショックの問題は回避できるが、ニュートラル制御による燃費改善の効果を得ることができない。また、ニュートラル状態にしてトルク解放するタイミングを誤ると、再度プロペラシャフトがスティック状態に陥る可能性もあり、どのタイミングでニュートラル状態にしてトルク解放するのかについての制御については困難を極める。
【００１６】
本発明は、上述の課題を解決するためになされたものであって、その目的は、制動時に駆動伝達系に蓄積されたエネルギーによるショックを車両の搭乗者に再発進時に感じさせることを回避する、自動変速機の制御装置を提供することである。
【課題を解決するための手段】
【００１７】
第１の発明に係る制御装置は、車両に搭載されたエンジンと駆動輪との間の動力を、係合することにより伝達および解放することにより非伝達のいずれかの状態に切り換える係合要素を有する自動変速機を制御する。自動変速機と駆動輪とは伸縮部を備えたプロペラシャフトで連結されている。この制御装置は、車両の速度を検出するための手段と、伸縮部の変位量を直接的および間接的の少なくともいずれかで検出するための検出手段と、伸縮部が予め定められた伸縮状態であるか否かを判断するための判断手段と、速度が予め定められた速度より低くて、かつ、伸縮部が予め定められた伸縮状態であると判断されると、自動変速機がニュートラル状態になるように、係合要素を解放するように制御するための制御手段とを含む。
【００１８】
第１の発明によると、車両の速度および伸縮部の変位量を検出して、減速時に車両姿勢がノーズダイブ状態になり、プロペラシャフトの伸縮部が伸びた状態から復帰している（元の状態に戻りつつある）ときに、たとえば、適正なタイミング（たとえば車両停止直前）に、必要な時に（伸縮部の変位量や変位速度等に基づいて車両の再発進時にショックを発生させる伸縮状態である時に）、ニュートラル状態を形成して捩りトルクを解放する。このため、的確に捩りトルクを解放することができ、再スティック状態を回避して、プロペラシャフトのスティック状態を解消することができる。その結果、制動時に駆動伝達系に蓄積されたエネルギーによるショックを車両の搭乗者に再発進時に感じさせることを回避する、自動変速機の制御装置を提供することができる。
【００１９】
第２の発明に係る制御装置においては、第１の発明の構成に加えて、判断手段は、伸縮部の変位および変位速度に基づいて、伸縮部が予め定められた伸縮状態であるか否かを判断するための手段を含む。
【００２０】
第２の発明によると、プロペラシャフトの伸縮部の変位が、たとえば、車両の再発進時にショックを発生させる伸縮量であること、および、プロペラシャフトの縮み速度が、たとえば、車両の再発進時にショックを発生させるスティック状態を形成するほどに速いことに基づいて、ニュートラル状態を形成する。このため、的確に捩りトルクを解放することができ、プロペラシャフトのスティック状態を解消することができる。
【００２１】
第３の発明に係る制御装置においては、第２の発明の構成に加えて、判断手段は、車両の再発進時にショックを発生させる伸縮状態であるか否かを判断するための手段を含む。
【００２２】
第３の発明によると、プロペラシャフトの伸縮部の変位やプロペラシャフトの縮み速度が、車両の再発進時にショックを発生させる状態であるときに、ニュートラル状態を形成する、このため、再発進時にショックを発生させるプロペラシャフトのスティック状態を的確に解消することができる。
【００２３】
第４の発明に係る制御装置においては、第３の発明の構成に加えて、判断手段は、伸縮部が縮む状態であって、変位速度が予め定められた速度よりも大きく、伸縮部の変位が予め定められた大きさの範囲であると、車両の再発進時にショックを発生させる伸縮状態であると判断するための手段を含む。
【００２４】
第４の発明によると、プロペラシャフトが制動時に一旦伸びて、元の状態に戻っている過程であって、変位速度（縮み速度）がスティック状態を引き起こすほどに大きく、伸縮部の変位が再発進時にショックを発生させる程度の範囲にある場合に、ニュートラル状態を形成する。このため、再発進時にショックを発生させるプロペラシャフトのスティック状態を的確に解消することができる。
【００２５】
第５の発明に係る制御装置においては、第１〜４のいずれかの発明の構成に加えて、検出手段は、伸縮部近傍に設けられた、伸縮部の変位量を検出するセンサである。
【００２６】
第５の発明によると、センサにより直接的に伸縮部の変位量を検出することができ、的確にプロペラシャフトのスティック状態を解消できる。
【００２７】
第６の発明に係る制御装置においては、第１〜４のいずれかの発明の構成に加えて、検出手段は、車両の後輪のサスペンションの変位量に基づいて、伸縮部の変位量を推定することにより伸縮部の変位量を検出するための手段を含む。
【００２８】
第６の発明によると、プロペラシャフトの変位量と正の相関関係がある後輪のサスペンションの変位量に基づいて、間接的に伸縮部の変位量を検出することができ、的確にプロペラシャフトのスティック状態を解消できる。
【発明を実施するための最良の形態】
【００２９】
以下、図面を参照しつつ、本発明の実施の形態について説明する。以下の説明では、同一の部品には同一の符号を付してある。それらの名称および機能も同じである。したがってそれらについての詳細な説明は繰返さない。なお、以下においては、制動と減速とを基本的に同じ意味であるとして説明する。すなわち、以下における減速は、制動に起因するものである。
【００３０】
図１を参照して、本発明の実施の形態に係る、有段式の自動変速機の制御装置を搭載した車両について説明する。この車両は、プロペラシャフトを有するＦＲ車両である。なお、本実施の形態に係る自動変速機の制御装置を搭載した車両は、有段式の自動変速機ではなく無段式の自動変速機であってもよい。さらに、以下の説明は、プロペラシャフトを有する四輪駆動車（４ＷＤ）を積極的に除外するものではない。
【００３１】
車両は、エンジン１０００と、従動輪でありかつ操舵輪でもある前輪２０００と、トランスミッション３０００と、プロペラシャフト４０００と、ディファレンシャルギヤ５０００と、駆動輪である後輪６０００と、ＥＣＵ８０００を主たる構成要素とする制御部７０００とを含む。
【００３２】
エンジン１０００は、インジェクタ（図示せず）から噴射された燃料と空気との混合気を、シリンダの燃焼室内で燃焼させる内燃機関である。燃焼によりシリンダ内のピストンが押し下げられて、クランクシャフトが回転させられる。
【００３３】
トランスミッション３０００は、所望のギヤ段を形成することにより、クランクシャフトの回転数を所望の回転数に変速する。トランスミッション３０００の出力ギヤは、プロペラシャフト４０００を介してディファレンシャルギヤ５０００に接続されている。なお、トランスミッション３０００を構成する、トルクコンバータ３００１およびプラネタリーギヤユニット３００２については、後で詳述する。
【００３４】
ディファレンシャルギヤ５０００には後輪６０００に駆動力を伝達するドライブシャフト５５００が連結されている。ドライブシャフト５５００を介して、左右の後輪６０００に動力が伝達される。なお、トランスミッション３０００とプロペラシャフト４０００との接続部分、プロペラシャフト４０００とディファレンシャルギヤ５０００との接続部分、ディファレンシャルギヤ５０００とドライブシャフト５５００との接続部分において、スプラインが用いられている。
【００３５】
ＥＣＵ８０００には、車速センサ８００２と、シフトレバー８００４のポジションスイッチ８００５と、アクセルペダル８００６のアクセル開度センサ８００７と、ブレーキペダル８００８に設けられたストップランプスイッチ８００９と、トランスミッション３０００の作動油の温度を検出する油温センサ８０１０とがハーネスなどを介して接続されている。また、ＥＣＵ８０００には、プロペラシャフト４０００の伸縮部近傍に設けられた伸縮部の変位（伸縮量）を検出する変位センサ９０００が接続されている。なお、プロペラシャフト４０００の伸縮量は、後輪のサスペンションの変位量と正の相関関係が成立する。そのため、プロペラシャフト４０００の伸縮量を変位センサ９０００で直接検出するのではなく、後輪サスペンションの変位で代用することもできる。このとき、後輪サスペンションの伸びとプロペラシャフトの伸びとが対応し、後輪サスペンションの縮みとプロペラシャフトの縮みとが対応する。なお、変位量の符号は、プロペラシャフト４０００が伸びる方向を正とする。また、後述するように変位量を時間微分することにより変位速度が算出できるが、プロペラシャフト４０００が伸びる方向を正としているため、伸びているときの変位速度は正値となり、伸びた後に元に戻ろうと縮んでいるときの変位速度は負値となる。さらに、変位速度を速度センサで直接検出するようにしても構わないし、加速度センサにより検出された車両に作用している加速度に基づいて算出するようにしても構わない。
【００３６】
車速センサ８００２は、ドライブシャフト５５００の回転数から車両の車速を検出し、検出結果を表す信号をＥＣＵ８０００に送信する。シフトレバー８００４の位置は、ポジションスイッチ８００５により検出され、検出結果を表す信号がＥＣＵ８０００に送信される。シフトレバー８００４の位置に対応して、トランスミッション３０００のギヤ段が自動で形成される。また、運転者の操作に応じて、運転者が任意のギヤ段を選択できるマニュアルシフトモードを選択できるように構成してもよい。
【００３７】
アクセル開度センサ８００７は、アクセルペダル８００６の開度を検出し、検出結果を表す信号をＥＣＵ８０００に送信する。ストップランプスイッチ８００９は、ブレーキペダル８００８のオン／オフ状態を検出し、検出結果を表す信号をＥＣＵ８０００に送信する。なお、ストップランプスイッチ８００９の代わりに、ブレーキペダル８００８のストローク量を検出するストロークセンサを設けてもよい。油温センサ８０１０は、トランスミッション２０００のＡＴＦ（Automatic Transmission Fluid）の温度を検出し、検出結果を表す信号をＥＣＵ８０００に送信する。
【００３８】
ＥＣＵ８０００は、車速センサ８００２、ポジションスイッチ８００５およびアクセル開度センサ８００７、ストップランプスイッチ８００９、油温センサ８０１０、変位センサ９０００などから送られてきた信号、ＲＯＭ（Read Only Memory）に記憶されたマップおよびプログラムに基づいて、減速時の駆動伝達系に蓄積されたエネルギーが一気に解放されたとしても、車両の搭乗者に、スプラインの固着（プロペラシャフトのスティック）が一気に外れることによるショックを感じさせないように、トランスミッション３０００の油圧回路を制御する。より具体的には、必要に応じて（ショックが発生するほどにプロペラシャフトが縮んでいる場合のみ行なうように）、再度スティック状態にならないような適正なタイミングで、ニュートラル状態を形成するような制御を実行する。なお、以下においては、ニュートラル制御を実行するということと、ニュートラル状態にするということとは、同義である。
【００３９】
図２を参照して、トランスミッション３０００について説明する。トランスミッション３０００は、大きくは、トルクコンバータ３００１とプラネタリーギヤユニット３００２とから構成される。なお、このトランスミッション３０００は６速の自動変速機であるが、本発明の実施の形態に係る制御装置の制御対象は、６速の自動変速機に限定されるものではない。
【００４０】
プラネタリーギヤユニット３００２は、クランクシャフトに連結された入力軸３１００を有するトルクコンバータ３００１に接続されている。プラネタリーギヤユニット３００２は、遊星歯車機構の第１セット３３００と、遊星歯車機構の第２セット３４００と、出力ギヤ３５００と、ギヤケース３６００に固定されたＢ１ブレーキ３６１０、Ｂ２ブレーキ３６２０およびＢ３ブレーキ３６３０と、Ｃ１クラッチ３６４０およびＣ２クラッチ３６５０と、ワンウェイクラッチＦ３６６０とを含む。
【００４１】
第１セット３３００は、シングルピニオン型の遊星歯車機構である。第１セット３３００は、サンギヤＳ（ＵＤ）３３１０と、ピニオンギヤ３３２０と、リングギヤＲ（ＵＤ）３３３０と、キャリアＣ（ＵＤ）３３４０とを含む。
【００４２】
サンギヤＳ（ＵＤ）３３１０は、トルクコンバータ３００１の出力軸３２１０に連結されている。ピ二オンギヤ３３２０は、キャリアＣ（ＵＤ）３３４０に回転自在に支持されている。ピ二オンギヤ３３２０は、サンギヤＳ（ＵＤ）３３１０およびリングギヤＲ（ＵＤ）３３３０と係合している。
【００４３】
リングギヤＲ（ＵＤ）３３３０は、Ｂ３ブレーキ３６３０によりギヤケース３６００に固定される。キャリアＣ（ＵＤ）３３４０は、Ｂ１ブレーキ３６１０によりギヤケース３６００に固定される。
【００４４】
第２セット３４００は、ラビニヨ型の遊星歯車機構である。第２セット３４００は、サンギヤＳ（Ｄ）３４１０と、ショートピニオンギヤ３４２０と、キャリアＣ（１）３４２２と、ロングピ二オンギヤ３４３０と、キャリアＣ（２）３４３２と、サンギヤＳ（Ｓ）３４４０と、リングギヤＲ（１）（Ｒ（２））３４５０とを含む。
【００４５】
サンギヤＳ（Ｄ）３４１０は、キャリアＣ（ＵＤ）３３４０に連結されている。ショートピニオンギヤ３４２０は、キャリアＣ（１）３４２２に回転自在に支持されている。ショートピニオンギヤ３４２０は、サンギヤＳ（Ｄ）３４１０およびロングピ二オンギヤ３４３０と係合している。キャリアＣ（１）３４２２は、出力ギヤ３５００に連結されている。
【００４６】
ロングピ二オンギヤ３４３０は、キャリアＣ（２）３４３２に回転自在に支持されている。ロングピ二オンギヤ３４３０は、ショートピニオンギヤ３４２０、サンギヤＳ（Ｓ）３４４０およびリングギヤＲ（１）（Ｒ（２））３４５０と係合している。キャリアＣ（２）３４３２は、出力ギヤ３５００に連結されている。
【００４７】
サンギヤＳ（Ｓ）３４４０は、Ｃ１クラッチ３６４０によりトルクコンバータ３００１の出力軸３２１０に連結される。リングギヤＲ（１）（Ｒ（２））３４５０は、Ｂ２ブレーキ３６２０により、ギヤケース３６００に固定され、Ｃ２クラッチ３６５０によりトルクコンバータ３００１の出力軸３２１０に連結される。また、リングギヤＲ（１）（Ｒ（２））３４５０は、ワンウェイクラッチＦ３６６０に連結されており、１速ギヤ段の駆動時に回転不能となる。
【００４８】
図３に、各変速ギヤ段と、各クラッチおよび各ブレーキの作動状態との関係を表した作動表を示す。丸印は係合を表している。Ｘ印は解放を表している。二重丸印はエンジンブレーキ時のみの係合を表している。三角印は駆動時のみの係合を表している。この作動表に示された組合わせで各ブレーキおよび各クラッチを作動させることにより、１速〜６速の前進ギヤ段と、後進ギヤ段が形成される。
【００４９】
Ｂ２ブレーキ３６２０と並列にワンウェイクラッチＦ３６６０が設けられているため、作動表に二重丸で示されているように、１速ギヤ段（１ＳＴ）形成時のエンジン側からの駆動状態（加速時）にはＢ２ブレーキ３６２０を係合させる必要は無い。本実施の形態において、ワンウェイクラッチＦ３６６０は、１速ギヤ段の駆動時には、リングギヤＲ（１）（Ｒ（２））３４５０の回転を防止する。エンジンブレーキを利かせる場合、ワンウェイクラッチＦ３６６０は、リングギヤＲ（１）（Ｒ（２））３４５０の回転を防止しない。
【００５０】
トルクコンバータ３００１は、入力軸と出力軸とを直結状態にするロックアップクラッチ３２０３と、入力軸側のポンプ羽根車３２０１と、出力軸側のタービン羽根車３２０２と、ワンウェイクラッチ３２０４を有し、トルク増幅機能を発現するステータ３２０５とから構成される。トルクコンバータ３００１と自動変速機とは、回転軸により接続される。トルクコンバータ３００１の出力軸回転数ＮＴ（タービン回転数ＮＴ）は、タービン回転数センサにより検知される。自動変速機の出力軸回転数ＮＯＵＴは、出力軸回転数センサにより検知される。
【００５１】
図３に示した作動表によると、摩擦要素であるクラッチ要素（図中のＣ１〜Ｃ２）や、ブレーキ要素（Ｂ１〜Ｂ３）、ワンウェイクラッチ要素（Ｆ）が、どのギヤ段の場合に係合および解放されるかを示している。車両の発進時に使用される１速時には、クラッチ要素（Ｃ１）、ワンウェイクラッチ要素（Ｆ）が係合する。これらのクラッチ要素の中で、特に、Ｃ１クラッチ３６４０は前進クラッチや入力クラッチやフォワードクラッチとも呼ばれ、図３の作動表に示すように、パーキング（Ｐ）ポジション、後進走行（Ｒ）ポジション、ニュートラル（Ｎ）ポジション以外の、車両が前進するための変速段を構成する際に必ず係合状態で使用される。
【００５２】
前進走行（Ｄ）ポジションであって、車両の状態が予め定められた条件（アクセルオフかつブレーキオンかつブレーキマスタシリンダ圧が所定値以上かつ車速が所定値以下等の条件）を満足して、車両が停止状態にあると判定されると、Ｃ１クラッチ３６４０を解放するように油圧回路を制御して、Ｃ１クラッチ３６４０を所定のスリップ状態にして、ニュートラルに近い状態（以下、ニュートラル状態と記載する）にする制御をニュートラル制御という。
【００５３】
本実施の形態に係る制御装置であるＥＣＵ８０００は、急減速されて停止した場合には、駆動伝達系に大きな捩りエネルギーが蓄積されているので、車両が停止する直前の適正なタイミングで（車両が停止してからではショックが発生する）、ニュートラル状態を形成することが特徴である。以下、この特徴についてフローチャートを用いて説明する。
【００５４】
図４を参照して、本実施の形態に係る制御装置であるＥＣＵ８０００で実行されるプログラムの制御構造について説明する。なお、以下に示すフローチャートにより表わされるプログラムは、所定のサイクルタイムで繰返し実行されるサブルーチンプログラムである。
【００５５】
ステップ（以下、ステップをＳと略す。）１００にて、ＥＣＵ８０００は、ブレーキ信号を検出したか否かを判断する。このとき、ＥＣＵ８０００は、ストップランプスイッチ８００９からのブレーキペダル８００８のオン状態を検出する信号を受信するとブレーキ信号を検出したと判断する。ブレーキ信号を検出すると（Ｓ１００にてＹＥＳ）、処理はＳ１１０へ移される。もしそうでないと（Ｓ１００にてＮＯ）、この処理は終了する（以下、「この処理は終了する」とは「メインルーチンプログラムに戻る」ことを意味する）。
【００５６】
Ｓ１１０にて、ＥＣＵ８０００は、車速Ｖを検出する。このとき、ＥＣＵ８０００は、車速センサ８００２から入力されるドライブシャフト５５００の回転数から車両の車速を検出する。
【００５７】
Ｓ１２０にて、ＥＣＵ８０００は、車速Ｖがしきい値Ｖ（０）未満であるか否かを判断する。このしきい値Ｖ（０）は、停止直前であるか否かを判断するためのしきい値であって、プロペラシャフト４０００の捩りが解放されると車両にショックを発生させるほどのエネルギーが駆動伝達系に蓄積されているときにニュートラル状態を形成する良好なタイミングである停止直前程度の車速が設定される。車速Ｖがしきい値Ｖ（０）未満であると（Ｓ１２０にてＹＥＳ）、処理はＳ１３０へ移される。もしそうでないと（Ｓ１２０にてＮＯ）、この処理は終了する。
【００５８】
Ｓ１３０にて、ＥＣＵ８０００は、変位センサ９０００からの信号に基づいて、プロペラシャフト４０００の変位量Ｘを検出する。このとき、上述したように、変位量Ｘの符号は、プロペラシャフト４０００が伸びる方向を正としている。
【００５９】
Ｓ１４０にて、ＥＣＵ８０００は、変位速度αを算出する。このとき、ＥＣＵ８０００は、プロペラシャフト４０００の変位量Ｘを時間微分することにより変位速度α（＝ｄＸ／ｄｔ）を算出する。このとき、上述したように、変位速度αの符号は、伸びているときに正となり、伸びた後に元に戻ろうと縮んでいるときに負となる。
【００６０】
Ｓ１５０にて、ＥＣＵ８０００は、変位速度αの絶対値がしきい値Ｂ（０）（＞０）より大きいか否かを判断する。このしきい値Ｂ（０）は、車両により異なる値が設定される。プロペラシャフト４０００が一旦伸びた後に縮んでいるときの変位速度α（この値自体は負値）の絶対値がしきい値Ｂ（０）よりも大きいとは、より速く縮んでいることを示す。すなわち、急制動であればあるほど車両の姿勢は大きく速くノーズダイブしてプロペラシャフト４０００が一旦伸び、その後に車両姿勢が戻ることにより、プロペラシャフト４０００は急に縮んでいる（すなわち、変位速度αの絶対値がしきい値Ｂ（０）より大きい）ことを示す。変位速度αの絶対値がしきい値Ｂ（０）（＞０）より大きいと（Ｓ１５０にてＹＥＳ）、処理はＳ１６０へ移される。もしそうでないと（Ｓ１５０にてＮＯ）、この処理は終了する。すなわち、変位速度αの絶対値がしきい値Ｂ（０）（＞０）より大きくないときとは（Ｓ１５０にてＮＯ）、プロペラシャフト４０００が急激に縮んでいるのではなく、車両姿勢がノーズダイブしたとしてもその反動により発生するプロペラシャフトのスティック状態の解放に起因するショックは発生しないと判断されるのである。
【００６１】
Ｓ１６０にて、ＥＣＵ８０００は、プロペラシャフト４０００の変位量Ｘが、Ａ（０）（＞０）よりも大きくＡ（１）（＞Ａ（０）＞０）よりも小さいか否かを判断する。Ａ（０）とＡ（１）との間の範囲がプロペラシャフト４０００がスティック状態となる領域である。Ａ（０）＜変位量Ｘ＜Ａ（１）であると（Ｓ１６０にてＹＥＳ）、処理はＳ１７０へ移される。もしそうでないと（Ｓ１７０にてＮＯ）、この処理は終了する。
【００６２】
Ｓ１７０にて、ＥＣＵ８０００は、自動変速機をニュートラル状態（たとえばＣ１クラッチ３６４０を解放することにより実現される）にする。これにより、プロペラシャフト４０００の捩りエネルギーが解放される。
【００６３】
以上のような構造およびフローチャートに基づく、本実施の形態に係る制御装置が搭載された車両の動作について、図５を参照して説明する。なお、たとえば、図４のＳ１６０のＡ（０）が図５のＸ（０）に、Ａ（１）がＸ（１）に、それぞれ対応する。
【００６４】
車両が走行中に、図５の時刻Ｔ（０）において運転者がブレーキペダル８００８を（急に大きく）踏み込むと（Ｓ１００にてＹＥＳ）、車速Ｖが検出される（Ｓ１１０）。時刻Ｔ（０）において急制動が車両に作用して車両が減速するとともに、車両の姿勢がノーズダイブ状態になり、プロペラシャフト４０００の伸縮部が伸びる。このことが、時刻Ｔ（０）から時刻Ｔ（１）の間においてプロペラシャフト４０００の変位量Ｘが正の方向に大きくなっていることに対応する。なお、プロペラシャフト４０００の変位量ＸはＸ（２）が最大値であると想定している。したがって、プロペラシャフト４０００の伸びは、時刻Ｘ（１）で最大値である変位量Ｘ（２）に到達し時刻Ｔ（２）まで、その変位量Ｘ（２）が維持されている。なお、時刻Ｔ（２）は、車両の姿勢がノーズダイブ状態から復帰し始める（プロペラシャフト４０００の伸びが戻り始める）タイミングである。
【００６５】
車速Ｖが検出されて、その車速Ｖがしきい値Ｖ（０）よりも小さい、停止直前であって、ニュートラル状態にするに適した車速であると（Ｓ１２０にてＹＥＳ）、プロペラシャフト４０００の変位量Ｘが検出される（Ｓ１３０）。
【００６６】
ノーズダイブ状態の車両の姿勢が元の状態に復帰し始めると、プロペラシャフト４０００の変位量Ｘが減少し始める。これが時刻Ｔ（２）のタイミングである。変位速度α（＝ｄＸ／ｄｔ）が算出され（Ｓ１４０）、この変位速度αの絶対値がしきい値Ｂ（０）よりも大きいと（Ｓ１５０にてＹＥＳ）、急制動により車両の姿勢は大きく速くノーズダイブしてプロペラシャフト４０００が一旦大きく伸びて、その後にプロペラシャフト４０００は急に縮んでいること（すなわち、スティック状態に陥る可能性が高いこと）を示している。。図５の時刻Ｔ（２）でこの条件は満足されている。
【００６７】
ノーズダイブ状態の車両の姿勢が元の状態にさらに復帰すると、プロペラシャフト４０００の変位量ＸがＸ（２）からさらに減少して、Ｘ（１）に到達する。これにより、プロペラシャフト４０００の変位量Ｘが、（Ａ（０）＝Ｘ（０）＜）変位量Ｘ＜Ａ（１）（＝Ｘ（１））を満足する（Ｓ１６０にてＹＥＳ）。これが時刻Ｔ（４）のタイミングである。時刻Ｔ（４）から時刻Ｔ（５）の間において、Ａ（０）＜変位量Ｘ＜Ａ（１）を満足すしている（Ｓ１６０にてＹＥＳ）ので、ニュートラル状態が形成される。すなわち、Ｎ（１）で示される時間、ニュートラル状態が形成される。
【００６８】
これにより、プロペラシャフト４０００がスティック状態にならないで車両が停止する（時刻Ｔ（５））。このときのプロペラシャフト４０００の変位量Ｘは、再発進時に異音やショックを発生しない程度の小さい変位量である。そのため、車両の停止後に時刻Ｔ（６）において、車両が再発進してもプロペラシャフト４０００はスティック状態ではないので（捩りトルクが解消されているので）、異音やショックを発生しない。このことが、図５において、時刻Ｔ（４）から時刻Ｔ（６）における太い実線で示されている。
【００６９】
一方、本発明のようにニュートラル状態を形成しない場合には、図５において、時刻Ｔ（４）から時刻Ｔ（６）における一点鎖線で示すようになる。
【００７０】
時刻Ｔ（４）から時刻Ｔ（６）においてもプロペラシャフト４０００には変位量Ｘ（１）の伸びが維持されているとともに、捩りトルクが残存して、プロペラシャフト４０００はスティック状態である。このような状態で再発進すると、プロペラシャフトには捩りトルクが作用した状態で伸縮部が元の状態に戻ろうとする（縮もうとする）ので、このときに異音やショックが発生する。
【００７１】
以上のようにして、本実施の形態に係る自動変速機の制御装置によると、車両の急制動に起因してプロペラシャフトの伸縮部が捩りトルクを有したまま伸びている状態から縮んでいると、適正なタイミング（変位速度と変位量とで決定）でニュートラル状態にしてトルクを解放する。このため、車両の停止時には、プロペラシャフトがスティック状態ではなくなり、再発進時に異音が発生することやショックが発生することを回避できる。
【００７２】
なお、図５のＴ（４）よりも早いＴ（３）のタイミングでニュートラル状態にする（すなわち、Ｎ（２）の期間（Ｔ（３）〜Ｔ（５）の期間）、ニュートラル状態にする）ようにしても構わない。
【００７３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００７４】
【図１】本発明の実施の形態に係る自動変速機の制御装置を含む車両の全体構成図である。
【図２】プラネタリギヤユニットを示すスケルトン図である。
【図３】各ギヤ段と、各ブレーキおよび各クラッチの対応を表した作動表を示す図である。
【図４】本発明の実施の形態に係る自動変速機の制御装置であるＥＣＵで実行されるプログラムの制御構造を示すフローチャートである。
【図５】図４に示すプログラムが実行された場合の車両の状態を示すタイミングチャートである。
【符号の説明】
【００７５】
１０００  エンジン、２０００  前輪（従動輪）、３０００  トランスミッション、３００１  トルクコンバータ、３００２  プラネタリーギヤユニット、４０００  プロペラシャフト、５０００  ディファレンシャルギヤ、６０００  後輪（駆動輪）、７０００  制御部、８０００  ＥＣＵ、９０００  変位センサ。
【図１】
2009097614.tif 000003
【図２】
2009097614.tif 000004
【図３】
2009097614.tif 000005
【図４】
2009097614.tif 000006
【図５】
2009097614.tif 000007